(57)【特許請求の範囲】
【請求項１】
テーブル支持台の少なくとも一側面に設けられた略垂直なテーブル収納面に対しテーブル裏面が重なる収納状態と、当該テーブル収納面からテーブルが水平方向へ突出する使用状態間を上下回動可能として前記テーブル支持台にテーブルが取り付けられたテーブル装置において、
前記テーブル収納面には上下方向に沿ってガイドレールを設けると共に、該ガイドレールに上下方向にスライド可能なスライダーを設け、
前記スライダーにテーブル裏面の一端側を軸着して該テーブルを上下回動可能に連結し、
前記テーブル使用状態時にはテーブル裏面とテーブル収納面間のつっかいをなす一方、前記テーブル収納状態時にはテーブル裏面へ重ねられて収納される支持部材を設け、
前記支持部材は一端側先端に形成された操作部を備えると共に前記操作部とは反対端部側にテーブル収納面側との係止部を有し、前記操作部が前記テーブルの軸着部とは反対側のテーブル自由端付近となるようにし、かつ前記操作部とは反対端部側に有する係止部側がテーブル裏面に対し横になった収納状態と下向きの縦になったつっかい状態間を動くように前記操作部側をテーブル裏面に回動可能に取り付けたことを特徴とするテーブル装置。
【請求項２】
請求項１において、テーブルを上方へ付勢するバネをテーブル裏面とテーブル支持台間に設けたことを特徴とするテーブル装置。
【請求項３】
請求項１または２において、テーブル使用状態時にテーブル支持台上端面に載る載置部を、テーブルの軸着側端部から所要幅でテーブル裏面に設けたことを特徴とするテーブル装置。
【請求項４】
請求項３において、テーブル支持台の上端面に物品収容開口部を設けたことを特徴とするテーブル装置。
【請求項５】
請求項１ないし４のいずれかにおいて、テーブル収納面をテーブル支持台の背中合わせとなる両側に形成して該テーブル支持台両側にテーブルを取り付けたことを特徴とするテーブル装置。
【発明の詳細な説明】
【０００１】
【発明の属する技術分野】
この発明は、使用時には支持台から水平に突出させ、一方、不使用時には支持台の垂直な面に重ねて収納できるテーブル装置に関し、特にはワンボックスカー等のように車内中央部に移動用スペース（ウォークスルー）がある自動車に好適に設けられるテーブル装置に関する。
【０００２】
【従来の技術】
従来、不使用時に収納できるテーブル装置として、図８及び図９に示すように、テーブル取り付け台７１にテーブル６０の一端をヒンジ７２を介して取り付け、前記テーブル６０を上下回動自在にすると共に、前記テーブル６０裏面の開放端６１側とテーブル取り付け台７１の下方部間に、二つの棒部材８０の端部が軸８１で連結されて折り曲げおよび伸長可能にされたアーム８３を設けたものがある。この構造では、使用時には図８のようにアーム８３を伸ばしてテーブル６０を水平に維持し、不使用時には図９のようにアーム８３の軸８１部を押し込んでアーム８３を折り曲げることにより、テーブル６０を下方へ回転させ垂直状態にしてテーブル取り付け台７１の略垂直面７３に重ねる。なお、前記アーム８３には、軸８１部付近にアームの伸長状態を固定及び固定解除するロック装置（図示せず）が設けられている。
【０００３】
しかし、前記構造のテーブル装置にあっては、テーブル６０の使用時にアーム８３が伸びた状態で確実にロックされているか否か確認する必要があり、しかもロック装置がテーブル６０の裏側にあるため、その確認作業も煩わしかった。また、不使用時にはロック装置のロック状態を外し、アーム８３の軸８１部付近を押し込んでアーム８３を折り畳まねばならないため、手をテーブル６０裏側の奥まで挿入せねばならず、その作業が煩わしいのみならず、気を付けないと下方へ回転したテーブル６０とテーブル取り付け台７１間で手を挟む問題がある。
【０００４】
【発明が解決しようとする課題】
この発明は、前記の点に鑑みなされたもので、簡単、確実にしかも安全にテーブルの使用および収納を行えるテーブル装置を提供しようとするものである。
【０００５】
【課題を解決するための手段】
すなわち、この発明は、テーブル支持台の少なくとも一側面に設けられた略垂直なテーブル収納面に対しテーブル裏面が重なる収納状態と、当該テーブル収納面からテーブルが水平方向へ突出する使用状態間を上下回動可能として前記テーブル支持台にテーブルが取り付けられたテーブル装置において、前記テーブル収納面には上下方向に沿ってガイドレールを設けると共に、該ガイドレールに上下方向にスライド可能なスライダーを設け、前記スライダーにテーブル裏面の一端側を軸着して該テーブルを上下回動可能に連結し、前記テーブル使用状態時にはテーブル裏面とテーブル収納面間のつっかいをなす一方、前記テーブル収納状態時にはテーブル裏面へ重ねられて収納される支持部材を設け、前記支持部材は一端側先端に形成された操作部を備えると共に前記操作部とは反対端部側にテーブル収納面側との係止部を有し、前記操作部が前記テーブルの軸着部とは反対側のテーブル自由端付近となるようにし、かつ前記操作部とは反対端部側に有する係止部側がテーブル裏面に対し横になった収納状態と下向きの縦になったつっかい状態間を動くように前記操作部側をテーブル裏面に回動可能に取り付けたことを特徴とする。
【０００６】
【発明の実施の形態】
以下添付の図面に従ってこの発明を詳細に説明する。
図１はこの発明の一実施例に係るテーブル装置の斜視図、図２は同実施例におけるテーブル装置の要部分解斜視図、図３は同実施例の部分断面図、図４はテーブルの裏面側平面図、図５はガイドレールの一実施例の斜視図、図６及び図７は同実施例におけるテーブル収納時および使用時への移る際を示す部分断面図である。
【０００７】
図１ないし図５に示すこの発明の一実施例のテーブル装置１０は、前記ワンボックスカー等の車内のウォークスルーに好適に取り付けられるもので、テーブル支持台２０の両側にテーブル３０を開閉可能に設けたものである。
テーブル支持台２０は、自動車の車内床面等に取り付けられてテーブル３０を支持するためのもので、この例では前後に細長い直方体形状の箱体からなり、プラスチック等、剛性のある材質からなる。このテーブル支持台２０の背中合わせとなる両側側面は略垂直なテーブル収納面２１を構成し、また上面には缶飲料やその他の小物のための物品収納用開口部Ｐが形成されている。
なお、前記物品収納用開口部Ｐの上面は、長手方向にスライドするシャッター式のようなもので蓋をしてもよい。また、このテーブル支持台２０の底部にはスライド用ローラ（図示せず）を設けて、車内床面に敷設したレール上を車内前後方向にスライドできるようにしてもよい。
【０００８】
前記テーブル収納面２１は、テーブル支持台２０の側面をなすと共に、テーブル３０不使用時にはテーブル３０が重ねられてそのテーブル３０の収納に用いられる部分である。このテーブル収納面２１は、テーブル３０と同じまたはそれより大なる大きさからなって、その中央の上下方向に沿ってガイドレール２２が固定されている。
【０００９】
ガイドレール２２は、テーブル３０を収納状態から使用状態へ移る際にテーブル３０を上昇させ、一方、テーブル３０を使用状態から収納状態に移る際にテーブル３０を下降させるためのガイドとして用いられるもので、この例では、図
５に示すように、縦長な金属板の幅方向両端を起こしてガイド部２３Ａ，２３Ｂを形成すると共に、そのガイド部２３Ａ，２３Ｂ内側に上下方向に補強用リブ２４Ａ，２４Ｂを設け、さらには補強用リブ２４Ａ，２４Ｂ間を切り起こしてスライダーの位置決め用の係止バネ片２５を形成したものからなる。この係止バネ片２５は、略Ｖ字形に屈曲した係止部２６を有する。係止部２６の位置は、テーブル使用時に上昇させた際にスライダーの位置決めをなすものである。符号、２７はスライダー上限位置規制ストッパーである。また、この例ではガイドレール２２の下部に支持部材係止孔２８が形成されている。
【００１０】
前記ガイドレール２２には、スライダー４０が上下スライド自在に取り付けられる。スライダー４０は、テーブル３０をガイドレール２２に沿って上下動可能にするもので、この例では幅が前記ガイドレール２２の幅とほぼ等しく、長さがガイドレール２２よりも短い方形の背板部４１の両側部に断面略コの字形に形成された係止部４２を有するもので、前記係止部４２がガイドレール２２の両側部を挟むように係止して、上下にスライドできるようになっている。
【００１１】
前記スライダー４０の上部両側部には、テーブル連結部４３が形成され、該テーブル連結部４３にテーブルを回動自在に取り付けるための軸挿通孔４４が形成されている。また、前記背板部４１には、テーブル３０使用時にスライダー４０が上方所定位置へ移動した際に前記係止バネ片２５の係止部２６と解除可能に係合する係止孔４５が切り欠き形成されている。この係止孔４５と前記バネ片２５の係止部２６は、テーブル３０をスライダー４０と共に下方へ下げる際に、テーブル３０等の自重で、あるいはわずか下向きの力をテーブル３０に加えるだけで前記係止部２６と係止孔４５との係止が外れるようにされる。
【００１２】
テーブル３０は、前記テーブル収納面２１に重なる大きさからなる。このテーブル３０裏面の一端側には、前記スライダー４０への連結金具３１が固定されている。この連結金具３１は、テーブルへの固定部３２とその一端の両縁に略直角に形成されたスライダー連結部３３とよりなり、そのスライダー連結部３３に形成された軸挿通孔３４と前記スライダー４０のテーブル連結部４３の軸挿通孔４４とに回動軸Ｇを挿通することによって、スライダー４０上部に上下回動可能に取り付けられる。なお、符号３９は回動軸Ｇの両端に形成される溝Ｇａにはまる固定リングである。また、前記テーブル３０裏面とスライダー４０間には、テーブル３０の自由端３６ａ側を上方へ付勢する上方付勢バネ３５が張設されている。この上方付勢バネ３５による付勢によって、テーブル使用時にテーブル３０を軽い力で上方へ回動できるようになる。
【００１３】
前記テーブル３０とスライダー４０との連結位置は、テーブル３０裏面の軸着側端部３６ｂから所要距離離れた位置とされる。これによって、前記テーブル３０の裏面には軸着側端部３６ｂから所要幅でもって、テーブル支持台２０への載置部３７が形成される。この載置部３７は、テーブル３０使用時にテーブル支持台２０上端面に載る部分で、それによりテーブル３０の軸着側端部３６ｂを確実に支持すると共に、テーブル支持台２０上端面の収納用開口部Ｐに蓋をして、テーブル３０，３０Ａ間に隙間が生じるのを防ぎ、テーブル使用面を大きくするものである。
【００１４】
また前記テーブル３０裏面には支持部材５０が取り付けられる。この支持部材５０は、テーブル３０使用時にテーブル３０裏面とテーブル支持台２０のテーブル収納面２１間でつっかいをなす一方、テーブル収納時にはテーブル３０裏面に重ねられて収納されるものである。
【００１５】
この例の支持部材５０は、金属棒を略Ｌ字形に曲げたもので、屈曲部５９を境として一端側が操作部側５１、他端側が係止部側５２となっている。
操作部側５１は、直線状の取付部５３の先端に略Ｌ字形に曲がった操作部５４を有する。前記取付部５３は、その軸方向がテーブル３０の軸着側端部３６ｂと自由端３６ａ間の方向に沿うようにされ、また取付部５３の外周方向に沿って回動自在とされ、さらにはテーブルの軸着側端部３６ｂと自由端３６ａ間の方向に沿って前後動できるようにして、テーブル３０裏面に取付金具５５で取り付けられる。この取付金具５５は、前記取付部５３が挿通される半円筒状保持部５６を有する金属板からなり、ビス等でテーブル３０裏面に固定される。その際、前記操作部５４がテーブル３０裏面の自由端３６ａ付近となるようにされ、その支持部材５０の回動時にテーブル３０裏面の奥まで手を挿入しなくても、操作部５４を掴んで操作できるようにしている。
【００１６】
一方、係止部側５２は、先端にテーブルの軸着側端部３６ｂ方向へ略Ｌ字形に曲がった係止部５７を有する。この係止部５７は、テーブル使用時に前記テーブル収納面２１のガイドレール２２に形成した係止孔２８に挿入係止され、それによって支持部材５０がテーブル３０裏面とテーブル収納面２１間で確実につっかいをなすようにしている。なお、前記係止解除は、操作部５４を掴んで引っ張り、係止部５７をテーブル３０の自由端３６ａ側へ移動させて係止孔２８から抜くことによりなされる。
【００１７】
前記支持部材５０には、前記支持部材５０をテーブル３０の軸着側端部３６ｂへ引っ張ると共に、係止部側５２をテーブル３０裏面に重ねる方向に付勢するコイルバネ５８が装着されている。このコイルバネ５８は所定量巻かれてバネ弾性を保持するコイル部内に支持部材５０の操作部側５１が挿通されてコイルバネの操作部側５１一端がテーブル３０裏面に固定され、コイルバネ５８の他端が支持部材５０の係止部側５２に固定されて、前記コイルバネ５８の巻き戻し方向へ係止部側５２を付勢している。また、前記コイルバネ５８は、そのコイル部の中心方向に沿って所定量圧縮された状態で前記支持部材５０に装着されており、それによって係止部５７をガイドレール２２の係止孔２８にはめる方向へ付勢し、その付勢のバネ弾性に抗して操作部５４を引っ張ることによって前記係止部５７を外すことができるようになっている。
【００１８】
このようにしてなる前記テーブル装置１０は、次のようにして使用される。まず、図６および図７に示すようにテーブル３０が略垂直とされてテーブル収納面２１に重なる収納状態となっている場合には、テーブル３０下端の自由端３６ａ側を持ってテーブル３０を垂直のまま上方へスライドさせ、前記ガイドレール２２の係止バネ片２５の係止部２６にスライダー４０の係止孔４５がはまって位置決めされるまで上方へ移動させる。
【００１９】
前記テーブル３０の上昇移動によって、テーブル３０の載置部３７がテーブル支持台２０上端から上方へ突出し、それまで前記載置部３７とテーブル収納面２１との当接によってテーブル３０の上方回動が制限されていたのが解除される。そのため、テーブル３０の下端の自由端３６ａを持って上方へ回動させることによって、テーブル軸着側端部３６ｂに形成されている載置部３７を前記テーブル支持台２０の上端面に載置し、テーブル３０を水平にする。このとき、前記上方付勢バネ３５によってテーブル３０には上方への回動力が付与されるため、前記水平にするのが僅かな力で行えるようになる。
【００２０】
次いで、前記テーブルの自由端３６ａ裏面付近に位置する支持部材の操作部５４を引っ張りながら係止部５７が下方位置となるように回動させる。そして、所定位置となった時点でそれまで操作部に加えていた引っ張り力を緩めれば、図３のように前記コイルバネ５８のバネ弾性により係止部５７がテーブル収納面２１側の係止孔２８にはまり、支持部材５０がテーブル３０とテーブル収納面２１間のつっかいをなすようになる。その際、前記操作部５４がテーブル３０の自由端３６ａ付近に位置し、手をテーブル３０裏面の奥まで挿入しなくてもよいため、操作が容易である。なお、前記テーブル３０裏面側には、図２に示すように係止部５７が所定の下方位置まで回動した際に、支持部材５０の屈曲部５９に当接して前記回動を阻止する位置決めストッパー３８が設けられている。
このようにして水平とされたテーブル３０は、テーブル軸着側端部３６ｂの載置部３７がテーブル支持台２１の上端面に載置されるため、スライダー４０の下降、すなわちテーブル３０の下降が阻止され、またテーブル収納面２１との間で支持部材５０がつっかいをなすため、確実に水平状態が保持される。なお、他方のテーブル３０Ａも必要に応じて同様に水平状態とされる。
【００２１】
一方、前記使用状態からテーブル３０を収納する際には、前記テーブル３０の自由端３６ａ裏側に位置する支持部材５０の操作部５４を引っ張って、前記係止孔２８から支持部材５０の係止部５７を抜き、前記支持部材５０の係止部側５２を上方へ回動させる。その際、前記操作部５４がテーブル自由端３６ａ付近に位置するため、手をテーブル３０の裏面奥まで挿入しなくてもよく、きわめて操作性がよい。また、前記コイルバネ５８のバネ弾性により支持部材５０には係止部側５２を上方へ回動させる力が加わるため、係止部側５２がテーブル３０裏面に重なるまで支持部材５０が自動的に回動する。そして、テーブル自由端３６ａ側を下方へ回動させてテーブル３０を垂直状態とし、その状態でテーブル３０を下降させてテーブル収納面２１に重ねれば、テーブル３０を収納することができる。その際、テーブル３０は自重によってテーブル収納状態が維持されるが、その収納位置で係止する係止片と係止孔（図示せず）をスライダー４０とガイドレール２２に設けてもよい。
【００２２】
【発明の効果】
以上図示し説明したように、ここに開示された発明によれば、テーブル収納操作とテーブルを水平にする操作を、テーブル自由端付近に位置する操作部によって行えるため、テーブル裏面の奥まで手を挿入しなくてもよく、操作を容易に行える。しかも、その操作時にテーブル裏面とテーブル支持台間で手を挟む恐れがなく安全にテーブルを使用することができる。
【図面の簡単な説明】
【図１】  この発明の一実施例に係るテーブル装置の斜視図である。
【図２】  同実施例におけるテーブル装置の要部分解斜視図である。
【図３】  同実施例の部分断面図である。
【図４】  テーブルの裏面側平面図である。
【図５】  ガイドレールの一実施例の斜視図
【図６】  同実施例におけるテーブル装置の収納状態を示す部分断面図である。
【図７】  同実施例におけるテーブル収納時から使用時へ移る際の部分断面図である。
【図８】  従来のテーブル装置の断面図である。
【図９】  その収納時を示す断面図である。
【符号の説明】
１０  テーブル装置
２０  テーブル支持台
２１  テーブル収納面
２２  ガイドレール
２３  レバーガイド
２５  係止バネ片
２８  支持部材係止孔
３０  テーブル
３４  テーブル自由端
３５  上方付勢バネ
４０  スライダー
４５  係止孔
５０  支持部材
５１  操作部側
５２  係止部側
５４  操作部
５９  屈曲部
Ｇ    回転軸
Ｐ    物品収容開口部
【図１】
0003850516.tif 000002
【図２】
0003850516.tif 000003
【図３】
0003850516.tif 000004
【図４】
0003850516.tif 000005
【図５】
0003850516.tif 000006
【図６】
0003850516.tif 000007
【図７】
0003850516.tif 000008
【図８】
0003850516.tif 000009
【図９】
0003850516.tif 000010